(57)【要約】      （修正有）【課題】容器の外表面に電源端子箱本体を備える電源端子箱において、容器と電源端子箱本体とを容易にシールすることが可能な電源端子箱及びこれを備えた圧縮機を得る。【解決手段】容器１ａの外表面に取り付けられ、電源端子箱本体５ａを備えた電源端子箱において、端子接続部１０に対応する位置に開口部が形成され、該開口部の周囲に配置され、前記電源端子箱本体と前記容器の間をシールするガスケット１４を備えた。【選択図】図２
2015121187.tif 000002
【特許請求の範囲】
【請求項１】
容器の外表面に取り付けられ、電源端子箱本体を備えた電源端子箱において、
端子接続部に対応する位置に開口部が形成され、
該開口部の周囲に配置され、前記電源端子箱本体と前記容器の間をシールするガスケットを備えたことを特徴とする電源端子箱。
【請求項２】
請求項１に記載の電源端子箱において、
前記電源端子箱本体には、前記端子接続部側に凹んだ凹み部が形成され、該凹み部には前記ガスケットが配置されるとともに、該凹み部の深さが前記ガスケットの厚さ以下としたことを特徴とした電源端子箱。
【請求項３】
請求項１記載の電源端子箱において、
前記容器には、前記端子接続部と反対側に凹んだ凹み部が形成され、該凹み部には前記ガスケットが配置されるとともに、該凹み部の深さが前記ガスケットの厚さ以下としたことを特徴とした電源端子箱。
【請求項４】
冷媒を圧縮する圧縮機構部と、
該圧縮機構部を駆動する電動機と、
外部からの電源線を接続するための電源端子箱と、を備えた圧縮機において、
前記電源端子箱として請求項１〜３の何れかに記載の電源端子箱が採用されたことを特徴とする圧縮機。
【発明の詳細な説明】
【技術分野】
【０００１】
本発明は、電源端子箱及びこれを備えた圧縮機について、特に電源端子箱の防塵防水性の向上を図る技術に関する。
【背景技術】
【０００２】
従来の電源端子箱構造としては、特許文献１が知られており、この電源端子箱構造について図１０、図１１にて説明する。図１０は従来の圧縮機の構造図であり、図１１は、図１０に示す圧縮機の電源端子箱４ｄの構造図である。図１０、図１１において、１ａは圧力容器、２は圧縮機構部、３は電動機、４ｄは電源端子箱、５ａは電源端子箱本体、６は電源端子箱の蓋、７は冷媒の吸入配管、８は圧縮された冷媒の吐出配管、９は電源線、１０は端子接続部、１１は電源端子箱蓋のねじ、１２は液状ガスケット、１３は電源端子である。
【０００３】
圧縮機は、圧力容器１ａ、圧縮機構部２、電動機３で構成され、電動機３に電源を供給する電源線９が接続される端子接続部１０と電源端子１３を内部に有する電源端子箱４ａを圧力容器１ａの外表面に備えている。
【０００４】
電源端子箱４ｄは圧力容器１ａ、電源端子箱本体５ａと電源端子箱の蓋６、電源端子箱蓋のねじ１１、液状ガスケット１２で構成され、電源接続部１０の外周に締結面を有した端子箱本体５ａと電源端子箱の蓋６を電源端子箱蓋のねじ１１で電源端子箱の蓋６を締結し、圧力容器１ａと電源端子箱本体５ａの内部側のすきまに液状ガスケット１２を塗布し、シールすることで、防塵防水の機能を果たす。
【先行技術文献】
【特許文献】
【０００５】
【特許文献１】特開２００６−３４２６７２号公報
【発明の概要】
【発明が解決しようとする課題】
【０００６】
上記した図１０、１１に示す構成の場合、圧力容器１ａと電源端子箱本体５ａの内部側のすきまに液状ガスケット１２を塗布しているため、防塵防水のための均一な液状ガスケットの塗布作業に時間を要する。したがって、より容易に電源端子箱本体５ａをシールできる電源端子箱構造が望まれていた。
【０００７】
そこで本発明は、容器の外表面に電源端子箱本体を備える電源端子箱において、容器と電源端子箱本体とを容易にシールすることが可能な電源端子箱及びこれを備えた圧縮機を得ることを目的とする。
【課題を解決するための手段】
【０００８】
上記課題を解決するために、例えば特許請求の範囲に記載の構成を採用する。  
本願は上記課題を解決する手段を複数含んでいるが、その一例を挙げるならば、
「容器の外表面に取り付けられ、電源端子箱本体を備えた電源端子箱において、端子接続部に対応する位置に開口部が形成され、該開口部の周囲に配置され、前記電源端子箱本体と前記容器の間をシールするガスケットを備えたこと」を特徴とする。
【発明の効果】
【０００９】
本発明によれば、容器の外表面に電源端子箱本体を備える電源端子箱において、容器と電源端子箱本体とを容易にシールすることが可能な電源端子箱及びこれを備えた圧縮機を得ることが可能となる。  
上記した以外の課題、構成及び効果は、以下の実施形態の説明により明らかにされる。
【図面の簡単な説明】
【００１０】
【図１】実施例１の圧縮機の構造を説明する図である。
【図２】図１の電源端子箱の構造を説明する図である。
【図３】図２の詳細Ａ図とガスケットの例を示す図である。
【図４】実施例２の圧縮機の構造を説明する図である。
【図５】図４の電源端子箱の構造を説明する図である。
【図６】図５の詳細Ｂ図とガスケットを説明する図である。
【図７】実施例３の圧縮機の構造を説明する図である。
【図８】図７の電源端子箱の構造を説明する図である。
【図９】図８の詳細Ｃ図とガスケットの構造を説明する図である。
【図１０】従来の圧縮機の構造を説明する図である。
【図１１】図１０の電源端子箱の構造を説明する図である。
【発明を実施するための形態】
【００１１】
本発明の実施例について以下、図面を用いて説明する。
【実施例１】
【００１２】
本発明の実施例１について、以下、図面を用いて説明する。上記したように図１０、図１１に示す電源端子箱構造によれば、圧力容器１ａと電源端子箱本体５ａの内部側のすきまに液状ガスケット１２を塗布しているため、防塵防水のための均一な液状ガスケット１２の塗布作業に時間を要しており、また、製造原価上昇に繋がっていた。このため、圧力容器１ａと電源端子箱本体５ａをより容易にシールできる電源端子箱構造が望まれていた。そこで、本実施例においては、圧力容器１ａと電源端子箱本体５ａとをより容易にシールできる電源端子箱構造について説明する。
【００１３】
図１は本実施例の電源端子箱を備えた圧縮機の構造を説明するための図であり、図２は、図１に示す圧縮機の電源端子箱４ａの構造図であり、図３は、図２の詳細Ｂ図とガスケット１４を説明する図である。またこれらの図においては、電源端子箱が取り付けられる対象として冷媒を圧縮する圧縮機を例として説明する。
【００１４】
ここで本実施例の圧縮機は冷媒を圧縮する圧縮機構部２と圧縮機構部２を駆動する電動機３を圧力容器１ａに内蔵している。冷媒は上部に設けられた吸入配管７から吸入され、圧縮機構部２により圧縮された後に吐出配管８から吐出される。また圧縮機の圧力容器１ａの表面には電源端子箱４ａが取り付けられており、電力を供給する電源線９は端子接続部１０に接続されることで圧縮機に電力が供給される。電源端子箱４ａは電源端子箱本体５ａとこれを外側から覆う蓋６と蓋６を電源端子箱本体５ａに止めるためのねじ１１とを備えて構成される。また図２に示すように電源端子箱本体５ａは圧力容器１ａと並行方向に移動しないように支え板１６により支持され、この支え板１６がねじ１５によって圧力容器１ａの表面に設けられた支え板１７に取り付けられる。
【００１５】
ここで本実施例の電源端子箱本体５ａを備えた電源端子箱４ａは圧力容器１ａの外表面に取り付けられ、端子接続部１０又は電源端子１３に対応する位置に開口部が形成される。そして開口部の周囲に配置され、電源端子箱本体５ａと圧力容器１ａの間をガスケット１４によってシールするようにしたものである。このガスケット１４は所定の柔軟性を持った素材で構成され、このように配置することにより、電源端子箱本体５ａと圧力容器１ａとの間の隙間を塞ぐと同時に、流体の漏れ又は外部からの異物の進入を防止することが可能となる。
【００１６】
図３において、ガスケット１４を配置した状態の電源端子箱本体５ａと圧力容器１ａとの間の隙間の大きさがＴであり、配置される前のガスケットの厚さがｔである。そして図３に示すように、ガスケットの厚さｔ≧隙間の大きさＴ、シール性を向上させながら電源端子箱本体５ａと圧力容器１ａとの間の隙間を塞ぐことができる。また、本実施例の構成によれば、圧力容器１ａと電源端子箱本体５ａとをより容易にシールすることが出来きるため、作業時間を短縮することが可能となり、製造原価を低減することができる。
【実施例２】
【００１７】
以下、本発明の実施例２について図面を用いて説明する。  
図４は本実施例の圧縮機の構造を説明する図であり、圧力容器１ａと電源端子箱本体５ｂをガスケット１４でシールした電源端子箱４ｂを圧力容器１ａの表面に取り付けている。図５は、図４に示す圧縮機の電源端子箱４ｂの構造を説明するための図である。図６は、図５の詳細Ｂ図とガスケット１４を説明する図である。
【００１８】
ここで図５において、１８はプロジェクション溶接を行うために電源端子箱本体５ｂに設けられた突起部を示し、突起部１８に大電流を流し、ここに発生する抵抗熱によって加熱し、圧力を加えて溶接が行われる。その他の構成は実施例１と同様なので説明を省略する。
【００１９】
そして本実施例においては図６に示すように、電源端子箱本体５ｂに、端子接続部１０の側に凹んだ凹み部が形成され、この凹み部にガスケット１４が配置される。また凹み部の深さが圧縮される前のガスケット１４の厚さ以下としたものである。
【００２０】
このような構成とすることで、実施例１よりさらに容易にシールすることが出来き、作業時間を短縮することが可能となるため、製造原価をさらに低減することができる。
【実施例３】
【００２１】
以下、本発明の実施例３について図面を用いて説明する。図７は本実施例の圧力容器１ｃと電源端子箱本体５ａをガスケット１４でシールした電源端子箱４ｃを備えた圧縮機の構造を説明する図である。図８は、図７に示す圧縮機の電源端子箱４ｃの構造を説明する図であり、図９は、図８の詳細Ｂ図とガスケット１４を説明する図である。
【００２２】
図７、図８、図９において、１８は実施例２と同様に１８はプロジェクション溶接を行うために電源端子箱本体５ｂに設けられた突起部を示し、実施例１、２と同様の構成については説明を省略する。
【００２３】
図８、図９に示すように本実施例の圧力容器１ｃには、端子接続部１０と反対側に凹んだ凹み部が形成され、凹み部にはガスケット１４が配置されるようにしたものである。そして凹み部の深さＴが圧縮する前のガスケットの厚さｔ以下とした。このような構成とすることで、実施例１より容易にシールすることが出来きるため、作業時間をさらに短縮することが可能となり、製造原価をさらに低減することができる。
【符号の説明】
【００２４】
１ａ    圧力容器ａ
１ｃ  圧力容器ｃ
２    圧縮機構部
３    電動機
４ａ    電源端子箱
４ｂ    電源端子箱
４ｃ    電源端子箱
４ｄ  電源端子箱
４ｅ  電源端子箱
５ａ    電源端子箱本体
５ｂ    電源端子箱本体
６    電源端子箱の蓋
７    吸入配管
８    吐出配管
９  電源線
１０  端子接続部
１１  電源端子箱蓋のねじ
１２  液状ガスケット
１３  電源端子
１４  ガスケット
１５  電源端子箱本体のねじ
１６  電源端子箱本体の支え板
１７  圧力容器の支え板
１８  プロジェクション溶接用の突起部
ｔ  ガスケット圧縮前の厚さ
Ｔ  ガスケット圧縮後の厚さ
【図１】
2015121187.tif 000003
【図２】
2015121187.tif 000004
【図３】
2015121187.tif 000005
【図４】
2015121187.tif 000006
【図５】
2015121187.tif 000007
【図６】
2015121187.tif 000008
【図７】
2015121187.tif 000009
【図８】
2015121187.tif 000010
【図９】
2015121187.tif 000011
【図１０】
2015121187.tif 000012
【図１１】
2015121187.tif 000013